(57)【要約】【課題】保護すべきデータを保護する。【解決手段】シャットダウンシーケンスを行うコントローラと、第１電力、第２電力を発生する第１電力供給部と、前記コントローラへの前記第１電力の供給をオンまたはオフにする電源スイッチ部と、前記コントローラへの前記第２電力の供給をオンまたはオフにする切替部と、前記電源スイッチ部による前記コントローラへの前記第１電力の供給がオフにされると、前記シャットダウンシーケンスが終了したか否かを判断する判断部と、前記判断部により前記シャットダウンシーケンスが終了したと判断されると、前記切替部に対して、当該切替部による前記コントローラへの前記第２電力の供給をオフにする切替オフ信号を送信する信号送信部と、を有することを特徴とする電源装置。【選択図】図２
2011045235.tif 000002
【特許請求の範囲】
【請求項１】
シャットダウンシーケンスを行うコントローラと、
第１電力、第２電力を発生する第１電力供給部と、
前記コントローラへの前記第１電力の供給をオンまたはオフにする電源スイッチ部と、
前記コントローラへの前記第２電力の供給をオンまたはオフにする切替部と、
前記シャットダウンシーケンスが終了したか否かを判断する判断部と、
前記電源スイッチ部による前記コントローラへの前記第１電力の供給がオフにされ、前記判断部により前記シャットダウンシーケンスが終了したと判断されると、前記切替部に対して、前記コントローラへの前記第２電力の供給をオフにさせる切替オフ信号を送信する信号送信部と、を有することを特徴とする電源装置。
【請求項２】
更に、前記切替部を動作させるための第３電力を前記切替部へ供給し、省エネモード時には前記第３電力の前記切替部への供給を中止する第２電力供給部を有することを特徴とする請求項１記載の電源装置。
【請求項３】
シャットダウンシーケンスを行うコントローラと、
第１電力、第２電力、第３電力を発生する第１電力供給部と、
前記コントローラへの前記第１電力の供給をオンまたはオフにする電源スイッチ部と、
前記第３電力で動作し、前記コントローラへの前記第２電力の供給をオンまたはオフにする切替部と、
前記切替部へ前記第３電力を供給し、省エネモード時には前記切替部への前記第３電力の供給を中止する第２電力供給部と、
前記シャットダウンシーケンスが終了したか否かを判断する判断部と、を有し、
前記電源スイッチ部による前記コントローラへの前記第１電力の供給がオフにされ、前記判断部により前記シャットダウンシーケンスが終了したと判断されると、前記コントローラは、前記第２電力供給部に対して、前記第３電力の供給を中止させることを特徴とする電源装置。
【請求項４】
請求項１〜３何れか１項に記載の電源装置を備えることを特徴とする画像形成装置。
【発明の詳細な説明】
【技術分野】
【０００１】
本発明は、電子機器の各部に電力を供給する電源装置、およびその電源装置を備える画像形成装置に関する。
【背景技術】
【０００２】
従来から、様々な電子装置に電源装置が用いられている。例えば、特許文献１に示されている電源装置が搭載された画像形成装置では、ユーザが該画像形成装置の電源スイッチをオフした場合に、コントローラ（制御部）が、画像データなどの保護すべきデータをＨＤＤに格納した後で、画像形成装置全体の電源を完全にオフにする。
【発明の概要】
【発明が解決しようとする課題】
【０００３】
特許文献１記載の電源装置では、ユーザが電源スイッチをオフすると、コントローラに供給される直流電力は、コンデンサによる保持時間を経た後、消失する。この保持時間は、コンデンサ容量により定められ、コンデンサ容量が少ないほど保持時間は短くなる。従って、コンデンサ容量が少なく、保持時間が短い場合には、電源スイッチがオフにされると、コントローラへの直流電力の供給が直ぐに中止され、コントローラは直ぐに停止する。従って、コンデンサ容量が少ない場合には、ユーザが突然（例えば、コントローラがＨＤＤに保護すべきデータを格納している途中に）、画像形成装置の電源スイッチをオフにすると、コントローラは直ぐに停止してしまい、全ての保護すべきデータをＨＤＤに格納できないまま、画像形成装置の電源がオフにされる。この場合には、保護すべきデータを適切に保護できない場合があるという問題が生じる。また、コンデンサ容量を多くして、保持時間を長くすると、コントローラで無駄な電力が消費されてしまうという問題がある。
【０００４】
この発明では、ユーザが突然電源スイッチをオフにしたとしても、保護すべきデータを適切に保護する電源装置、画像形成装置を提供することを目的とする。
【課題を解決するための手段】
【０００５】
上記問題を解決するために、シャットダウンシーケンスを行うコントローラと、第１電力、第２電力を発生する第１電力供給部と、前記コントローラへの前記第１電力の供給をオンまたはオフにする電源スイッチ部と、前記コントローラへの前記第２電力の供給をオンまたはオフにする切替部と、前記シャットダウンシーケンスが終了したか否かを判断する判断部と、前記電源スイッチ部による前記コントローラへの前記第１電力の供給がオフにされ、前記判断部により前記シャットダウンシーケンスが終了したと判断されると、前記切替部に対して、前記コントローラへの前記第２電力の供給をオフにさせる切替オフ信号を送信する信号送信部と、を有することを特徴とする電源装置を提供する。
【発明の効果】
【０００６】
本発明の電源装置、画像形成装置であれば、ユーザが突然電源スイッチをオフにしたとしても、保護すべきデータを適切に保護できる。
【図面の簡単な説明】
【０００７】
【図１】本実施例の画像形成装置の一例の外観を示した図。
【図２】本実施例の電源装置の機能構成例を示したブロック図。
【図３】本実施例の完全オンモードへ移行するフローチャート図。
【図４】本実施例の完全オフモードへ移行するフローチャート図。
【図５】別の実施例の電源装置の機能構成例を示したブロック図。
【図６】別の実施例の完全オンモードへ移行するフローチャート図。
【図７】別の実施例の完全オフモードへ移行するフローチャート図。
【発明を実施するための形態】
【０００８】
以下、図面を参照して、本発明を実施するための形態の説明を行う。なお、同じ機能を持つ構成部や同じ処理を行う過程には同じ番号を付し、重複説明を省略する。また、以下の説明では、ＡＣ（Ａｌｔｅｒｎａｔｉｎｇ  Ｃｕｒｒｅｎｔ）は交流を示し、ＤＣ（Ｄｉｒｅｃｔ  Ｃｕｒｒｅｎｔ）は直流を示す。
【実施例１】
【０００９】
図１に本実施例の電源装置８０を備える画像形成装置１０００の外観の概略図を示す。この画像形成装置は、大略で、自動原稿送り装置〔ＡＤＦ〕３０と、操作部２０と、スキャナ１０と、カラープリンタ１００と、ステープラ及び作像された用紙を大量に積載可能なシフトトレイ付きのフィニッシャ３４と、両面反転ユニット３３と、給紙バンク３５と、大容量給紙トレイ３６及び排紙トレイ３１、の各ユニットで構成されている。
【００１０】
ＡＤＦ３０は、原稿を自動で、画像形成装置１０００の内部に取り込む。ユーザは操作部２０に、例えば、画像形成などの指示が入力する。操作部２０には、以下で説明するＤＣ電源スイッチ部１０６が備えられている。ユーザは、画像形成装置をオフにしたい場合には、ＤＣ電源スイッチ１０６をオフにする。スキャナ１０は、原稿を読み込む。カラープリンタ１００は、原稿の画像を転写紙上に形成する。両面反転ユニット３３は、原稿の両面の画像を形成する場合に、原稿を反転させる。画像形成装置１０００の各部に電力を供給する電源装置８０は、所定の位置に配置される。
【００１１】
次に、本実施例１の電源装置８０について説明する。以下の説明では、電源装置８０を画像形成装置に搭載する場合について説明するが、他の電子機器に搭載してもよい。
【００１２】
以下の説明では、電源装置８０の制御において、完全オンモード、完全オフモード、省エネモードに大別して説明する。省エネモードについては実施例２で説明する。完全オンモードとは、電源装置８０が搭載されている電子装置（例えば、画像形成装置）が作動している状態である。完全オフモードとは、電子装置の各部に電力が供給されていない状態である。省エネモードとは、電子装置の処理は止まっているが、即座に電子装置の処理を行える状態にあることをいう。
【００１３】
図２に電源装置８０の機能構成例を示す。本実施例１の電源装置８０は、ＡＣ電源１０２と、第１電力供給部１０４と、電源スイッチ部１０６と、コントローラ１０８と、操作部２０と、切替部１１４と、を有する。記憶部１１０は電源装置８０に付随される。また、本実施例では、電源スイッチ部１０６を、直流電力の供給をオンまたはオフにするＤＣ電源スイッチ部１０６として説明する。ＡＣ電源１０２は、商用電源の交流を供給するものである。また、切替部１１４は、例えば、リレーである。以下の説明では、切替部１１４をリレー部１１４として説明する。また、リレーオン信号、リレーオフ信号とは、切替オン信号、切替オフ信号である。
【００１４】
また、図２の例では、ＤＣ電源スイッチ部１０６およびリレー部１１４は、第１電力供給部１０４とコントローラ１０８との間に配置されている。また、第１電力供給部１０４は、ＡＣ電源１０２とＤＣ電源スイッチ１０６との間に配置されている。
【００１５】
第１電力供給部１０４はＰＳＵ（パワーサプライユニット：Ｐｏｗｅｒ  Ｓｕｐｐｌｙ  ｕｎｉｔ）であり、ＡＣ電源からの交流電力を直流電力に変換し、電源装置８０または画像形成装置１０００の各部に供給する。また、ＡＣ電源１０２からの交流電力の一部については、所定のフィルタリング処理が施されて、定着ヒーター（図示せず）に供給される。
【００１６】
第１電力供給部１０４は、第１電力、第２電力、第３電力を発生させる。以下の説明では、第１電力、第２電力、第３電力をそれぞれ、第１直流電力、第２直流電力、第３直流電力として説明するが、第１電力、第２電力、第３電力はそれぞれ、交流電力としてもよい。第１直流電力、第２直流電力、第３直流電力とは、それぞれ、直流の電力である。ＤＣ電源スイッチ部１０６は第１直流電力供給のオン・オフを切り替えるものである。
【００１７】
第１直流電力とは、第１電力供給部１０４→ＯＮになったＤＣ電源スイッチ部１０５２→コントローラ１０８の順番で供給される直流電力である。
【００１８】
第２直流電力とは、第１電力供給部１０４→ＯＮになったリレー部１１４→コントローラ１０８の順番で供給される直流電力である。
【００１９】
第３直流電力とは、リレー部１１４を動作させるための直流電力である。ここで、リレー部１１４が動作するとは、リレー部１１４がオン・オフ可能になることをいう。
【００２０】
コントローラ１０８は、第１直流電力と第２直流電力のうち少なくとも１つの直流電力で動作する。また、コントローラ１０８は、画像形成装置の搬送ベルト（共に図示せず）など、全ての駆動部を駆動させるものである。
【００２１】
ＤＣ電源スイッチ部１０６は、第１スイッチ部１０５２と、第２スイッチ部１０５４とを有する。第１スイッチ部１０５２は、第１可動端１０６３と、第１固定端１０６２を有する。第２スイッチ部１０５４は第２可動端１０６６と、第２固定端１０６５と、を有する。第１可動端１０６３側の配線は、第１電力供給部１０４に接続されている。第１固定端１０６２側の配線は、コントローラ１０８に接続されている。第２可動端１０６６側の配線は、接地されている。第２固定端１０６５側の配線は、コントローラ１０８に接続されている。
【００２２】
ＤＣ電源スイッチ部１０６はユーザによりオンされることで、第１可動端１０６３は第１固定端１０６２に接触されると共に、第２可動端１０６６も第２固定端１０６５に接触される。従って、第１電力供給部１０４からの第１直流電力がコントローラ１０８へ供給される（供給がオンされる）。
【００２３】
また、ＤＣ電源スイッチ部１０６がオフにされると、可動端１０６３と固定端１０６２とが非接触になると共に、可動端１０６６と固定端１０６５とが非接触になり、第１電力供給部１０４からの第１直流電力がコントローラ１０８に供給されなくなる（供給がオフされる）。
【００２４】
また、リレー部１１４は、１つの可動片１１４６と２つの固定端１１４２、１１４４とコイル１１４８を有する。固定端１１４４側の配線は、コントローラ１０８に接続され、固定端１１４２側の配線は、第１電力供給部１０４に接続されている。リレー部１１４がオンにされると、可動切片１１４６の両端がそれぞれ２つの固定端１１４２、１１４４と接触することで、第１電力供給部１０４からの第２直流電力がコントローラ１０８へ供給される（供給はオンされる）。
【００２５】
また、リレー部１１４がオフにされると、可動切片１１４６の両端と２つの固定端１１４２、１１４４とが非接触となり、第１電力供給部１０４からの第２直流電力がコントローラ１０８へ供給されなくなる（供給がオフされる）。
【００２６】
記憶部１１０は、例えばＨＤＤ（Ｈａｒｄ  ｄｉｓｋ  ｄｒｉｖｅ）であり、保護すべきデータを格納する。ここで、保護すべきデータとは、画像形成装置の処理対象のデータを意味し、画像形成装置１０００が形成する予定の画像データや、他の端末のＦＡＸ番号などのアドレスデータや、他の端末に関する発着信履歴情報やシステム情報等である。
【００２７】
コントローラ１０８は、電源装置８０内の各部を制御し、また、シャットダウンシーケンスを行う。また、コントローラ１０８は、判断部１０８２と、信号送信部１０８４と、一時記憶部１０８６とを有する。判断部１０８２は、コントローラ１０８によるシャットダウンシーケンスが終了したか否かを判断するものである。
【００２８】
信号送信部１０８４は、リレーオン信号、リレーオフ信号を生成して送信するものである。リレーオン信号およびリレーオフ信号とは、それぞれ、リレー部１１４をオン、オフにするための信号である。一時記憶部１０８６は、記憶部１１０に記憶させる前の保護すべきデータを一旦、記憶するものである。図２の例では、判断部１０８２と、信号送信部１０８４と、一時記憶部１０８６とは、コントローラ１０８内に設けているが、コントローラ１０８の外部に設けても良い。
【００２９】
次に、シャットダウンシーケンスについて説明する。シャットダウンシーケンスとは以下の処理（１）〜（４）を行うことである。
（１）コントローラ１０８は、記憶部１１０（ＨＤＤ）およびフラッシュメモリ（ＵＳＢやＳＤカードなど）への保護すべきデータの記憶を禁止する。
（２）コントローラ１０８は他のメモリ（例えば、一時記憶部１０８６）に一旦書き込む。
（３）そして、該他のメモリに書き込まれた保護すべきデータを記憶部１１０、または／および、フラッシュメモリへ書き込む。そして記憶部１１０に保護すべきデータが記憶されると、記憶が完了したことを示す記憶完了信号が、記憶部１１０からコントローラ１１０へ送信される。なお、本実施例では、フラッシュメモリには書きこまないものとする。
（４）コントローラ１０８と記憶部１１０とのデータの送受信が終了すると、コントローラ１０８は、記憶部１１０への書き込み行えないようにする。ここで、「コントローラ１０８と記憶部１１０とのデータの送受信」とは、「コントローラ１０８から記憶部１１０への保護すべきデータの送信、および、記憶部１１０からコントローラ１０８への記憶完了信号の送信」をいう。また、「記憶部１１０への書き込み行えないようにする」とは、例えば、記憶部１１０（ＨＤＤ）のヘッドを退避させることである。
【００３０】
また、シャットダウンシーケンスを終了する際には、コントローラ１０８が様々なエラーを検知しないようにする。何故なら、画像形成装置１０００が正常状態でシャットダウンしたとしても、次回、画像形成装置１０００が立ち上がるときに、エラーが表示された状態で立ち上がるからである。
【００３１】
また、図２記載の電源オン信号、電源オフ信号はそれぞれ、ＤＣ電源スイッチ部１０６により生成されるものであり、ＤＣ電源スイッチ部１０６が、オンされたことまたはオフされたことを示す信号である。
【００３２】
完全オンモードの間は、コントローラ１０８は、第１電力供給部１０１に対して、第１直流電力、第２直流電力、第３直流電力の供給をさせるための電力供給制御信号を第１電力供給部１０１に送信している。
【００３３】
［完全オンモード］
まず、完全オンモードについて説明する。図３に、電源装置８０が完全オフモードから完全オンモードになる場合の処理フローを示す。ユーザがＤＣ電源スイッチ部１０６をオンにする（ステップＳ１０２）。つまり、第１スイッチ部１０５２の可動端１０６３は固定端１０６２に接触され、第２スイッチ部１０５４の可動端１０６６は固定端１０６５に接触される。そうすると、第１電力供給部１０４からの第１直流電力（５Ｖ電力）がコントローラ１０８に供給される（ステップＳ１０３）。第１直流電力がコントローラ１０８に供給されると共に、第１可動端１０５４側の配線が接地されたことから、電源オン信号がコントローラ１０８に対して送信される（ステップＳ１０４）。上述のように、電源オン信号とは、ＤＣ電源スイッチ部１０６がオンされたことを示す信号である。コントローラ１０８は、電源オン信号を受信することで、ＤＣ電源スイッチ部１０６がオンされたことを認識する。
【００３４】
またＤＣ電源スイッチ部１０６は、第２スイッチ部１０５４を備えず、第１可動端１０６３が第１固定端１０６２と接触されたことを検知すると、図示しない電源オン信号生成手段が電源オン信号を生成し、コントローラ１０８に送信してもよい。また、ＤＣ電源スイッチ部１０６は、第２スイッチ部１０５４を備えずに、第１直流電力が供給されたことをコントローラ１０８が認識することで、コントローラ１０８は、ＤＣ電源スイッチ部１０６がオンされたことを認識してもよい。
【００３５】
コントローラ１０８が、電源オン信号の受信などで、ＤＣ電源スイッチ部１０６がオンされたことを認識すると、コントローラ１０８中の信号送信部１０８４がリレーオン信号を生成して、リレー部１１４に送信する（ステップＳ１０６）。上述のように、リレーオン信号とはリレー部１１４をオンさせる旨の信号である。詳細に説明すると、リレーオン信号が、リレー駆動回路１１５に送信されると、リレー駆動回路１１５が、コイル１１４８に対して、第３直流電力をリレー部１１４内に供給させる。この第３直流電力の供給により、リレー部１１４はオンになる。
【００３６】
リレー部１１４が、リレーオン信号を受信すると、リレー部１１４は、オンされる（ステップＳ１０８）。そうすると、第１電力供給部１０４からの第２直流電力が、リレー部１１４を経由して、コントローラ１０８に供給される（ステップＳ１１０）。リレー部１１４は、ＤＣ電源スイッチ部１０６のバイパスの役目を果たす。このように、コントローラ１０８に第１直流電力および第２直流電力が供給されることで、電源装置８０および画像形成装置１０００全体が完全オンモードになる（ステップＳ１１２）。
【００３７】
［完全オフモード］
次に、完全オフモードについて説明する。本実施例１の電源装置８０は、完全オンモードから完全オフモードになる場合に効果を発揮する。図４に、完全オンモードから完全オフモードになる場合の処理フローを示す。以下の説明では、図２と図４を用いて説明する。
【００３８】
ユーザがＤＣ電源スイッチ１０６をオフにすると（ステップＳ２０２）、第１可動端１０６３と第１固定端１０６２とが非接触になることから、第１電力供給部１０４からの第１直流電力のコントローラ１０８への供給が中止される（ステップＳ２０３）。コントローラ１０８への供給が中止されると共に、第２可動端１０６６と、第２固定端１０６５とが非接触となることから、接地面とコントローラ１０８との接続が遮断されることで、電源オン信号がコントローラ１０８へ送信されなくなる。コントローラ１０８に電源オン信号が送信されなくなることで、コントローラ１０８は、ＤＣ電源スイッチ１０６の電源がオフになったことを認識する（ステップＳ２０４）。
【００３９】
またＤＣ電源スイッチ部１０６は、第２スイッチ部１０５４を備えず、可動端１０６３が固定端１０６２と非接触になったことを検知すると、図示しない信号生成手段が電源オフ信号を生成し、コントローラ１０８に送信してもよい。上述のように、電源オフ信号とは、ＤＣ電源スイッチ部１０６がオフになったことを示す信号である。コントローラ１０８は、電源オフ信号を受信することにより、ＤＣ電源スイッチ部１０６がオフにされたことを認識する。また、ＤＣ電源スイッチ部１０６は、第２スイッチ部１０５４を備えずに、第１直流電力が供給されなくなったことをコントローラ１０８が認識した時に、コントローラ１０８は、ＤＣ電源スイッチ部１０６がオフされたことを認識してもよい。
【００４０】
コントローラ１０８が電源オフ信号を受信すると、判断部１０８２が、シャットダウンシーケンスが終了したか否かを判断する（ステップＳ２０６）。シャットダウンシーケンスが終了するまで、つまり、上記（１）〜（４）の処理が終了するまで、次のステップ（ステップＳ２０８）には進まない。何故なら、シャットダウンシーケンスが全て終了しないまま、次のステップに進むと、保護すべきデータが格納されている途中に完全オフモードになる場合があり、保護すべきデータが消失されるばかりでなく、記憶部１１０が損壊される可能性があるからである。
【００４１】
判断部１０８２が、「シャットダウンシーケンスが終了した」と判断すると（ステップＳ２０８のＹｅｓ）、次の処理ステップＳ２０８に進む。また、判断部１０８２が、「シャットダウンシーケンスが終了した」と判断すると、保護すべきデータが記憶部１１０に記憶されたことを示すログ情報を生成してもよい。
【００４２】
ステップＳ２０８では、コントローラ１０８の信号送信部１０８４が、リレー部１１４をオフにするリレーオフ信号を生成して、リレー部１１４に対してリレーオフ信号を送信する。上述のように、リレーオフ信号とは、リレー部１１４をオフにするための信号である。リレー部１１４がリレーオフ信号を受信すると、リレー部１１４がオフされる（ステップＳ２１０）。つまり、リレー部１１４の可動切片１１４６と、２つの固定端１１４２、１１４４とが非接触になる。そうすると、コントローラ１０８への第２直流電力の供給が中止される（ステップＳ２１２）。従って、第１直流電力および第２直流電力は、コントローラ１０８に供給されなくなり、コントローラ１０８からの電力供給制御信号が第１電力供給部１０４へ送信されなくなる。よって、第１電力供給部１０４からの電力供給が中止され、電源装置８０の装置全体が完全オフモードになる（ステップＳ２１４）。
【００４３】
また、図４では、ステップＳ２０３、ステップＳ２０４の処理終了後、ステップＳ２０６の処理を行っているが、ステップＳ２０６の処理終了後、ステップＳ２０３、ステップＳ２０４の処理を行っても良く、ステップＳ２０３、ステップＳ２０４の処理とステップＳ２０６の処理を同時に行っても良い。つまり、信号送信部１０８４は、ＤＣ電源スイッチ部１０６によるコントローラ１０８への第１電力の供給がオフにされ、判断部１０８２によりシャットダウンシーケンスが終了したと判断されると、切替部１１４に対して、コントローラ１０８への第２電力の供給をオフにさせる切替オフ信号を送信するものである。
【００４４】
実施例１の電源装置８０であれば、図４のステップＳ２０６、ステップＳ２０８、ステップＳ２１０にもあるように、コントローラ１０８の判断部１０８２が、シャットダウンシーケンスが全て終了したことを判断した後に、リレー部１１４をオフにして、完全オフモードにする。従って、保護すべきデータや記憶部１１０を適切に保護することができる。
【実施例２】
【００４５】
この実施例２の電源装置２００は、省エネモードも考慮したものであり、省エネモードにすると、電力消費を頗る低減できる。ＤＣ電源スイッチ部１０６がオンであり、後述するソフトスイッチャー１２４からユーザにより省エネモードに選択された場合に、コントローラ１０８がシャットダウンシーケンスを実行することで、完全オンモードから省エネモードには、切り替わる。そのほかには、ＤＣ電源スイッチ部１０６がオンであり、所定時間使用されない場合も、自動的に、省エネモードに切り替わるようにしてもよい。
【００４６】
省エネモードの場合には、ＤＣ電源スイッチ部１０６がオンになっているので、コントローラ１０８へは、第１直流電力が供給されている。従って、省エネモードから完全オンモードになった場合でも、即座にコントローラ１０８は立ち上がることができる。
【００４７】
図５に電源装置２００の機能構成例を示す。電源装置８０と比較して、電源装置２００は、第２電力供給部１２０と、ソフトスイッチャー１２４と、を更に有する点で異なる。また、実施例１では、第３直流電力は、第１電力供給部１０４から共有されているが、実施例２では、第３直流電力は、第２電力供給部１２０から供給されるものとする。第２電力供給部１２０は、第１電力供給部１０４と接続させるか、または、第１電力供給部１０４の内部に配置させる。
【００４８】
ソフトスイッチャー１２４からは上述のユーザから省エネモードが選択された旨の制御信号が入力される。
【００４９】
［完全オンモード］
図６に実施例２の電源装置２００の、完全オフモードから完全オンモードになる処理フローを示す。図６記載の処理フローは、図３と比較してステップＳ１０４とステップＳ１０６との間に、ステップＳ１２０とステップＳ１２２とが介入している点で異なる。
【００５０】
ステップＳ１０４において、コントローラ１０８が、ＤＣ電源スイッチ部１０６からの電源オン信号を受信すると、コントローラ１０８は、第３直流電力オン信号を第１電力供給部１０４に送信する（ステップＳ１２０）。そして、第１電力供給部１０４が、第２電力供給部１２０に、第３直流電力をリレー部１１４に供給させる（ステップＳ１２２）。第３直流電力は第１電力供給部１０４から第２電力供給部１２０に供給されたものである。また、図５の例では、第１電力供給部１０４は、第２電力供給部１２０と個別に設けられているが、第１電力供給部１０４と第２電力供給部１２０とは統合させてもよい。また、第３直流電力オン信号は第３直流電力を供給させる旨の信号である。後の処理は実施例１と同様であるので省略する。リレー部１１４は、第３直流電力が供給され、かつ、リレーオン信号が送信されると、オンになる。また、リレー部１１４は、（ｉ）第３直流電力が供給されない場合、または（ｉｉ）第３直流電力が供給され、リレーオフ信号が送信されると、オフになる。
【００５１】
その後、ステップＳ１０６〜ステップＳ１１２の処理が行われる。
［省エネモード］
次に省エネモードについて説明する。省エネモードになると、コントローラ１０８が、第３直流電力オフ信号を第１電力供給部１０４に送信する。第１電力供給部１０４が第３直流電力オフ信号を受信すると、第１電力供給部１０４は第２電力供給部１２０に第３直流電力の供給を中止させる。第３直流電力オフ信号とは、第３直流電力の供給を中止させる信号である。つまり、電源装置２００において、完全オンモードでは、第３直流電力はリレー部１１４に供給されるが、省エネモードでは、リレー部１１４に第３直流電力は供給されない。
【００５２】
第３直流電力のリレー部１１４への供給が中止されると、上述のように、リレー部１１４はオフになる。リレー部１１４がオフになると、第２直流電力は、コントローラ１０８へ供給されなくなる。しかし、ＤＣ電源部１０６はオンになっていることから、第１直流電力は、コントローラ１０８へ供給される。省エネモードとは、コントローラ１０８に第１直流電力が供給され、第２直流電力が供給されない状態をいう。コントローラ１０８に第１直流電力が供給されていることから、コントローラ１０８は作動する。
【００５３】
従って、コントローラ１０８内の判断部１０８２は、省エネモード時であっても、シャットダウンシーケンスが終了したか否かを判断することができる。つまり、省エネモード時から完全オフモードに移行する場合でも、図４に示す処理を行うことができる。ただし、この場合には、図４中のステップＳ２０８〜ステップＳ２１２の処理は省略される。従って、シャットダウンシーケンスを適切に終了させた後に、完全オフモードに移行することができる。
【００５４】
また、第２電力供給部１２０は、省エネモードになると、第１電力供給部１０４からの制御を受けずに、自発的に、第３直流電力の供給を中止してもよい。
【００５５】
このように、実施例２の電源装置２００のリレー部１１４は、第３直流電力で動作するのであるが、省エネモードでは、コントローラ１０８の制御により第３直流電力はリレー部１１４に供給されない。従って、省エネモードにおいて、実施例２の電源装置２００では、頗る電力消費量を抑えることができる。
［完全オフモード］
実施例１で説明した、完全オンモードから完全オフモードへ移行する手法を第１完全オフモード移行手法という。第１完全オフモード移行手法では、リレーオフ信号によりリレー部１１４をオフにすることで、完全オフモードにした。実施例２では、この第１完全オフモード移行手法を用いても完全オフモードに移行させることも可能であるが、以下の説明では第１完全オフモード移行手法とは別の第２完全オフモード移行手法について説明する。第２完全オフモード移行手法も完全オンモードから完全オフモードに移行する手法である。図７に第２の完全オフモード移行手法を用いた場合の処理フローについて示す。図７の処理フローの図は、図４と比較して、ステップＳ２０８が、ステップＳ２１６、ステップＳ２１８に代替されている点で異なる。
【００５６】
ステップＳ２０２で電源スイッチ部１０６がオフにされ、第１直流電力の供給が中止される（ステップＳ２０３）。しかし、リレー部１１４がオンになっていることから、第２直流電力が、コントローラ１０８に供給される。従って、コントローラ１０８内の判断部１０８２、信号送信部１０８４、一時記憶部１０８８は、正常に処理を行う。
【００５７】
ステップＳ２０６において、判断部１０８２がシャットダウンシーケンスが終了したことを確認すると、コントローラ１０８は、第３直流電力オフ信号を第１電力供給部１０４に送信する（ステップＳ２１６）。第３直流電力オフ信号を受信した第１電力供給部１０４は、第２電力供給部１２０に対して、第３直流電力の供給を中止させる（ステップＳ２１８）。そうすると、リレー部１１４には第３直流電力が供給されなくなり、リレー部１１４はオフになる（ステップＳ２１０）。そして、コントローラ１０８への第２直流電力の供給が中止され（ステップＳ２１２）、完全オフモードになる（ステップＳ２１４）。
【００５８】
この第２の完全オフモード移行手段であれば、コントローラ１０８からリレー部１１４までの、リレー駆動回路１１５（リレーオン信号、リレーオフ信号の送信路）を省略できるという効果を奏する。
【００５９】
この実施例２の電源装置２００の第２電力供給部１２０は、完全モード時には第１電力供給部１０４からの第３直流電力を供給し、省エネモード時、完全オフモード時には第３直流電力の供給を行わない。従って、省エネモード時には、リレー部１１４に第３直流電力が供給されないため、省エネモード時には更なる電力節約を期待できる。
［その他］
なお、特許文献１記載の電源装置では、ＡＣで動作するＡＣ電源スイッチとＤＣで動作する構成部（他のモジュール）とを安全のため、分離しなければならなければならない。また、ＡＣで動作するリレーなどは規模が大きく、結果として、装置全体の規模が大きくなる。また、ＡＣで動作するリレーは、高価であり、装置全体の生産コストが高くなるという問題もある。
【００６０】
そこで、上記のように、電源スイッチ部１０６が、第１直流電力、第２直流電力、第３直流電力の供給をオンまたはオフにすること、かつ、リレー部１１４を直流（ＤＣ）で動作させることが好ましい。電源スイッチ部１０６が直流電力の供給をオンまたはオフにし、リレー部１１４が直流で動作する場合には、電源スイッチ部１０６と、ＤＣで動作する構成部と、リレー部１１４とを分離する必要がない。また、ＤＣで動作するリレー部を用いているので、小型化でき、生産コストも削減できる。従って、従来技術の電源装置の問題点を解決できる。
【００６１】
また、特許文献１記載の従来技術の電源装置に、第３直流電流（上記のように省エネモード時に供給されない直流電力）を用いることはできない。何故なら、特許文献１記載の従来技術のＡＣ電源スイッチは、ＡＣで動作するため、ＤＣである第３直流電流を供給させることはできないからである。
【符号の説明】
【００６２】
１０・・・スキャナ
２０・・・操作部
３０・・・自動原稿送り装置
３１・・・排紙トレイ
３３・・・両面反転ユニット
３４・・・フィニッシャ
３５・・・給紙バンク
３６・・・大容量給紙トレイ
１００・・・カラープリンタ
１０２・・・ＡＣ電源１０２
１０４・・・第１電力供給部１０４
１０６・・・ＤＣ電源スイッチ部
１１４・・・切替部
【先行技術文献】
【特許文献】
【００６３】
【特許文献１】特開２００２−３１２０７５号公報
【図１】
2011045235.tif 000003
【図２】
2011045235.tif 000004
【図３】
2011045235.tif 000005
【図４】
2011045235.tif 000006
【図５】
2011045235.tif 000007
【図６】
2011045235.tif 000008
【図７】
2011045235.tif 000009